(57)【要約】【課題】ワイドバンド・ラムダセンサによって生成された信号を校正する方法及び装置を提供する。【解決手段】内燃機関（１０）の排気ガス領域（１３）に配置されたワイドバンド・ラムダセンサ（１４）によって準備されたラムダ測定信号（ｌａｍ＿ｍｅｓｓ）の校正方法において、補正値（Ｋｏｒｒ）がラムダ実際値（ｌａｍ＿Ｉｓｔ）を示す変数を求めるために援用され、補正値（Ｋｏｒｒ）が、燃料配分が行われず且つ内燃機関（１０）の回転数（ｎ）が閾値よりも上にある、内燃機関（１０）の予め与えられた運転状態の間に求められる。補正値（Ｋｏｒｒ）は、ワイドバンド・ラムダセンサ（１４）のセンサ温度（ｔｅ＿ｌａｍ）に依存して、前記予め与えられた運転状態の間に求められる。【選択図】図１
2007147610.tif 000002
【特許請求の範囲】
【請求項１】
補正値（Ｋｏｒｒ）がラムダ実際値（ｌａｍ＿Ｉｓｔ）を示す変数を求めるために援用され、補正値（Ｋｏｒｒ）が、燃料配分が行われず且つ内燃機関（１０）の回転数（ｎ）が閾値よりも上にある、内燃機関（１０）の予め与えられた運転状態の間に求められる、内燃機関（１０）の排気ガス領域（１３）に配置されたワイドバンド・ラムダセンサ（１４）によって準備されたラムダ測定信号（ｌａｍ＿ｍｅｓｓ）の校正方法において、
補正値（Ｋｏｒｒ）が、ワイドバンド・ラムダセンサ（１４）のセンサ温度（ｔｅ＿ｌａｍ）に依存して、前記予め与えられた運転状態の間に求められること、
を特徴とするラムダ測定信号の校正方法。
【請求項２】
センサ温度（ｔｅ＿ｌａｍ）として、測定された実際温度（ｔｅ＿Ｉｓｔ）が援用されることを特徴とする請求項１に記載の校正方法。
【請求項３】
センサ温度（ｔｅ＿ｌａｍ）として、予め定められた目標温度（ｔｅ＿Ｓｏｌｌ）が援用されることを特徴とする請求項１に記載の校正方法。
【請求項４】
目標温度（ｔｅ＿Ｓｏｌｌ）として、ワイドバンド・ラムダセンサ（１４）の定格温度（ｔｅ＿Ｎｅｎｎ）が援用されることを特徴とする請求項１に記載の校正方法。
【請求項５】
燃料配分が行われず且つ内燃機関（１０）の回転数（ｎ）が閾値よりも上にある運転状態である、内燃機関（１０）の予め定められた運転状態の開始及び終了の少なくともいずれかが、内燃機関（１０）の負荷信号（Ｍｄ＿Ｓｏｌｌ）、及びギヤのシフトレンジ（ｇ）、及び内燃機関（１０）が駆動機関として用いられている車両の走行速度（ｖ）の少なくともいずれかに依存して決定されることを特徴とする請求項１に記載の校正方法。
【請求項６】
特性曲線（３０）の勾配の補正が、ラムダ＝１である旋回点（３１）を中心とした特性曲線（３０）の回転によって行われることを特徴とする請求項１に記載の校正方法。
【請求項７】
センサ温度（ｔｅ＿ｌａｍ）が、予め定められている目標温度（ｔｅ＿Ｓｏｌｌ）に調節されることを特徴とする請求項１に記載の校正方法。
【請求項８】
補正値（Ｋｏｒｒ）がラムダ実際値（ｌａｍ＿Ｉｓｔ）を示す変数を求めるために援用され、補正値（Ｋｏｒｒ）が、燃料配分が行われず且つ内燃機関（１０）の回転数（ｎ）が閾値よりも上にある、内燃機関（１０）の予め与えられた運転状態の間に求められる、内燃機関（１０）の排気ガス領域（１３）に配置されたワイドバンド・ラムダセンサ（１４）によって準備されたラムダ測定信号（ｌａｍ＿ｍｅｓｓ）の校正装置において、
請求項１ないし７のいずれかに記載の校正方法の実施するための少なくとも一つの制御装置（２０）を備えたこと、
を特徴とするラムダ測定信号の校正装置。
【請求項９】
制御装置（２０）が、予め定められた運転状態のための運転状態決定装置（２５）、及び補正値決定装置（２７）を含んでいることを特徴とする請求項８に記載の校正装置。
【請求項１０】
制御装置（２０）が、ワイドバンド・ラムダセンサ（１４）の目標温度（ｔｅ＿Ｓｏｌｌ）のための目標温度決定装置（２６）を含んでいることを特徴とする請求項８に記載の校正装置。
【発明の詳細な説明】
【技術分野】
【０００１】
本発明は、ワイドバンド・ラムダセンサによって生成された信号を校正するための方法及びこの方法を実施するための装置に関する。
【背景技術】
【０００２】
ＤＥ １９８ １０ ４８３ Ａ１には、ＨＣセンサ及び／又はＮＯｘセンサのセンサ信号オフセットを決定するための方法が記載されている。ＨＣ排出或いはＮＯｘ排出が起きていない内燃機関及び触媒の運転状態の下では、センサによって生成された信号はオフセット信号として評価され、センサ信号の校正のために援用される。ＨＣ排出或いはＮＯｘ排出が起きていない状態は、例えば内燃機関の惰走時の動力遮断の間に現れ、この状態は、予め与えられた運転条件が満たされている場合には、燃料節約のために利用することができる。
【０００３】
ＤＥ ３８ ２７ ９７８ Ａ１には、常時ラムダ制御のための方法及び装置が記載されているが、この方法及び装置では、跳躍型ラムダセンサによって生成された信号が、ラムダ＝１近辺の領域内で、常時ラムダ調整が可能となるように処理される。この方法は、センサ電圧制御偏差を伴って働くのではなく、ラムダ値制御偏差をセンサ電圧値とラムダ値との間のセンサ特性に基づく関係に基づいて決定するという手法に準拠している。跳躍型ラムダセンサによって生成される信号は、センサ温度に依存している。それ故、跳躍型ラムダセンサによって生成されたラムダ信号を、センサ信号の校正のためにセンサ温度に応じて補正するということが行われる。更に精確な校正のためのもう一つの補正の手法として、内燃機関の惰走時の動力遮断の間にセンサ信号オフセットの測定が行われる。
【０００４】
ＤＥ １００ ３６ １２９ Ａ１には、センサ加熱装置を備えた跳躍型ラムダセンサによる排気ガス組成の測定のための方法が記載されている。この方法によれば、センサ温度に依存してセンサ信号の補正が行われ、その際には個々の信号跳躍にセンサ温度に依存して補正電圧が割り当てられる。
【０００５】
ＤＥ １９９ １９ ４２７ Ａ１には、ワイドバンド・ラムダセンサによって生成された信号の補正のための方法が記載されているが、この方法の場合にはセンサ信号特性曲線の勾配が、内燃機関の惰走時の動力遮断の間に現れるセンサ信号に依存して補正される。
【０００６】
専門書『火花点火機関マネージメント／ボッシュ』、フィーウェーク出版社（“Ｏｔｔｏｍｏｔｏｒ−Ｍａｎａｇｅｍｅｎｔ／Ｂｏｓｃｈ”、ＶｅｒｌａｇＶｉｅｗｅｇ）、初版、１９９８年、第２２〜２３頁に、拡散仕切りを介してガス室と結合されたセンサ室を備えたワイドバンド・ラムダセンサが記載されている。センサ室には内部ポンピング電極が配置されており、この電極は、外部ポンピング電極とポンプ電極相互間に置かれている酸素イオン透過電解質と共にポンピングセルを形成している。このポンピングセルを用いて、酸素を、電解質を通してセンサ室から或いはセンサ室の中へ汲み出すことができる。
【０００７】
このポンピングセルの近くに測定セルがあるが、この測定セルは内側のポンピング電極と基準電極との間に置かれており、その際内側のポンピング電極と基準電極との間にも酸素イオン透過電解質が配置されている。測定セルは、ネルンスト・セルに対応しており、このセルでは、内側のポンピング電極と基準電極との間の熱力学的平衡の中で形成される電位差がセンサ室内の検査対象ガスの分圧と参照空気中の検査対象ガスの分圧との比の対数に比例している。排気ガス・ラムダの測定の目的は、センサ室内の酸素分圧に対して、ネルンスト電位が、好ましくはラムダ＝１に相当する予め与えられた値にコンスタントに留まっているように、影響を与えることである。この目的のために、回路装置が、外側のポンピング電極に加えられるポンピング電流を変化させる。ポンピング電流の極性と値は、予め定められたネルンスト電位を超え或いは下回るか否か又どれだけ超え或いは下回っているかに依存している。自己調節されるポンピング電流が排気ガス・ラムダの変数となる。
【発明の開示】
【発明が解決しようとする課題】
【０００８】
本発明は、ワイドバンド・ラムダセンサによって生成された信号を校正するための方法及びこの方法の実施のための装置を提供することを課題としている。
【課題を解決するための手段】
【０００９】
本発明によれば、内燃機関の排気ガス領域に配置されたワイドバンド・ラムダセンサによって準備されたラムダ測定信号の校正方法において、補正値がラムダ実際値を示す変数を求めるために援用され、補正値が、燃料配分が行われず且つ内燃機関の回転数が閾値よりも上にある、内燃機関の予め与えられた運転状態の間に求められる。補正値は、ワイドバンド・ラムダセンサのセンサ温度に依存して、前記の予め与えられた運転状態の間に求められる。
【００１０】
また、本発明によれば、内燃機関の排気ガス領域に配置されたワイドバンド・ラムダセンサによって準備されたラムダ測定信号の校正装置において、補正値がラムダ実際値を示す変数を求めるために援用され、補正値が、燃料配分が行われず且つ内燃機関の回転数が閾値よりも上にある、内燃機関の予め与えられた運転状態の間に求められる。校正装置は、上記の本発明の校正方法の実施するための少なくとも一つの制御装置を備えている。
【発明の効果】
【００１１】
内燃機関の排気ガス領域内に配置されたワイドバンド・ラムダセンサによって生成された信号の校正のための本発明の方法は、ラムダ実際値のための少なくとも一つの変数を準備するために補正値を求めるものである。補正値は、燃料配分が行われず且つ内燃機関の回転数が閾値よりも上にある、内燃機関の予め与えられた運転状態の間に求められる。本発明によれば、補正値は内燃機関の予め与えられた運転状態の間にワイドバンド・ラムダセンサの温度に依存して求められる。
【００１２】
テストに基づいて、単に一般に加熱されていない跳躍型ラムダセンサによって生成されるラムダ信号だけでなく、ワイドバンド・ラムダセンサによって生成される信号も又、例えそのワイドバンド・ラムダセンサの作動温度をセンサ加熱装置によって予め定められた定格温度に保持しておいたとしても、センサ温度に依存していることがあるということが確認されている。
【００１３】
本発明に基づく手法は、ワイドバンド・ラムダセンサが組み込まれた状態の下でワイドバンド・ラムダセンサによって生成された信号を、その作動の間に校正することによって、場合によっては存在し得る、ワイドバンド・ラムダセンサの温度に依存した製造上の製品ばらつきを考慮する。更に特に、使用期間中に場合によっては発生し得る温度依存の経年ドリフトを考慮することができる。
【００１４】
ワイドバンド・ラムダセンサによって生成された信号の校正は、好ましくは単に具体的なセンサ温度の下でのみ行われるのではなく、好ましくは温度領域について行われる。
本発明の有利な実施態様と拡張例は付属の諸請求項から明らかとなる。
【００１５】
一実施態様によれば、センサ温度として、測定された実際温度を示す少なくとも一つの変数が援用される。この実際温度は、温度制御装置が存在しているときに得られる。代わりの手法として、センサ温度として予め与えられた目標温度或いは温度評価値を示す少なくとも一つの変数を援用することができる。この目標温度は、制御された或いは調節されたセンサ加熱装置が存在しているか否かに係わらず、常に制御装置に用意されている。
【００１６】
一実施態様によれば、目標温度として意図的に幾つかの異なる校正温度が設定される。特に、これまで補正値が求められていなかった目標温度を意図的に設定することが好ましい。
【００１７】
一実施態様によれば、内燃機関の予め定められた運転状態、即ち燃料配分が行われず且つ内燃機関の回転数が予め定められている閾値よりも上にある運転状態の開始及び／又は終了が、内燃機関の負荷信号に依存して決定される。更に少なくともギヤのシフトレンジ及び／又は内燃機関が駆動機関として用いられている車両の走行速度が考慮されることが好ましい。
【００１８】
ワイドバンド・ラムダセンサによって生成された信号の校正のための本発明の装置は、先ず、前記の方法を実施するために特別に構成された制御装置に関している。
制御装置は特に、燃料配分が行われず且つ内燃機関の回転数が閾値よりも上にある、予め定められた運転状態のための運転状態決定装置、並びに補正値決定装置を含んでいる。更に制御装置には、ワイドバンド・ラムダセンサの目標温度のための目標温度決定装置が備えられていることが好ましい。
【００１９】
制御装置は、プロセスステップがコンピュータプログラムとして格納されている少なくとも一つの電気的記憶装置を含んでいることが好ましい。
本発明のその他の有利な拡張例と実施態様は付属のその他の請求項から又以下の説明から知られる。
【発明を実施するための最良の形態】
【００２０】
図１は内燃機関１０を示しており、この内燃機関の吸気領域１１にはエアセンサ１２が配置され、その排気ガス領域１３にはワイドバンド・ラムダセンサ１４及び排気ガス処理装置１５が配置されている。
【００２１】
エアセンサ１２はエア信号ｍｓ＿Ｌを、内燃機関１０は回転数ｎを、ワイドバンド・ラムダセンサ１４に割り当てられているセンサ加熱器１６はワイドバンド・ラムダセンサ１４の実際温度ｔｅ＿Ｉｓｔを、ワイドバンド・ラムダセンサ１４はラムダ測定信号ｌａｍ＿ｍｅｓｓを、制御装置２０に対して送り込む。
【００２２】
制御装置２０は、燃料信号ｍ＿Ｋを又センサ加熱器１６は目標温度ｔｅ＿Ｓｏｌｌを（それぞれ）内燃機関１０に割り当てられている燃料配分装置２１に対して送り込む。
制御装置２０は運転状態決定装置２５を含んでおり、この運転状態決定装置２５にはエア信号ｍｓ＿Ｌ、回転数ｎ、負荷信号Ｍｄ＿Ｓｏｌｌ、走行速度ｖ、ラムダ実際値ｌａｍ＿Ｉｓｔ、シフトギヤ情報ｇ、並びに詳しくは説明されないその他の諸信号が送り込まれる。
【００２３】
運転状態決定装置２５は、内燃機関１０の予め定められている運転状態を特徴付ける信号Ｃａｌを送り出す。運転状態決定装置２５は更に燃料信号ｍ＿Ｋを準備する。
内燃機関１０の予め定められている運転状態を特徴付ける信号Ｃａｌは、目標温度決定装置２６へ送り込まれ、この目標温度決定装置２６は、ワイドバンド・ラムダセンサ１４の加熱のための目標温度ｔｅ＿Ｓｏｌｌを準備する。目標温度決定装置２６には更に、実際温度ｔｅ＿Ｉｓｔ並びにワイドバンド・ラムダセンサ１４の予め定められている定格温度ｔｅ＿Ｎｅｎｎが送り込まれる。目標温度決定装置２６は更に、補正値決定装置２７によって準備された校正温度ｔｅ＿Ｃａｌを受け取る。
【００２４】
ラムダ測定信号ｌａｍ＿ｍｅｓｓは、比較器２８でラムダ校正信号ｌａｍ＿Ｃａｌと比較される。この比較器２８によって求められた差ｄが補正値決定装置２７で用いられるが、この補正値決定装置２７には更に、内燃機関１０の予め定められた運転状態を特徴付ける信号Ｃａｌ並びにセンサ温度ｔｅ＿ｌａｍが送り込まれる。補正値決定装置２７は校正温度ｔｅ＿Ｃａｌの他に補正値Ｋｏｒｒを準備し、この補正値Ｋｏｒｒを用いてラムダ実際値決定装置２９でラムダ測定信号ｌａｍ＿ｍｅｓｓがラムダ実際値ｌａｍ＿Ｉｓｔに対して補正される。
【００２５】
図２はラムダ測定信号ｌａｍ＿ｍｅｓｓとポンピング電流Ｉｐとの関係を示す、ワイドバンド・ラムダセンサ１４の特性曲線３０を示している。図２に示されている特性曲線３０は原理的に、冒頭で述べられた背景技術で述べられているワイドバンド・ラムダセンサ１４の特性曲線３０に対応している。
【００２６】
ポンピング電流Ｉｐ＝０は、ラムダ測定値ｌａｍ＿ｍｅｓｓ＝１に対応している。ラムダ＝１の所には、特性曲線３０の旋回点３１がある。酸素欠乏の際には負のポンピング電流Ｉｐが現れ、又酸素過剰の際には正のポンピング電流Ｉｐが現れる。
【００２７】
図２には、ラムダ測定値ｌａｍ＿ｍｅｓｓの他に、０．８と４のラムダ測定値ｌａｍ＿ｍｅｓｓが記入されているが、ここで０．８のラムダ測定値ｌａｍ＿ｍｅｓｓは、例えばマイナス２０マイクロアンペア（μＡ）のポンピング電流に、４のラムダ測定値ｌａｍ＿ｍｅｓｓは、例えばプラス２０マイクロアンペアのポンピング電流に対応している。特性曲線３０は、理論的にはラムダ＝無限（∞）まで伸びて行くが、ポンピング電流Ｉｐは、例えばラムダ＝４の時の電流から最早ほとんど増加しない。ラムダ＝無限の時には測定ポイント変位３２が記入されている。
【００２８】
本発明に基づく方法は次のように作用する。
運転状態決定装置２５が燃料信号ｍ＿Ｋを測定し、この燃料信号が燃料分配装置２１で、例えば回転数ｎ及び／又は負荷信号Ｍｄ＿Ｓｏｌｌ及び／又はエア信号ｍｓ＿Ｌ及び／又はラムダ実際値ｌａｍ＿Ｉｓｔに応じて、利用される。
【００２９】
エア信号ｍｓ＿Ｌは、内燃機関１０の中を流れる気流のための変数となる。負荷信号Ｍｄ＿Ｓｏｌｌは、例えば内燃機関１０が駆動機関として搭載されている、詳しくは説明されない自動車に備えられている同じく詳しくは説明されないアクセルペダルの位置から導出される、例えばトルク目標値に対応している。
【００３０】
運転状態決定装置２５は特に、予め定められている運転状態を特徴付ける信号Ｃａｌを求めるが、その際、予め定められている運転状態は少なくとも回転数ｎ及び例えば負荷信号Ｍｄ＿Ｓｏｌｌから測定される。予め定められている運転状態は燃料信号ｍ＿Ｋがゼロに等しく、従って内燃機関１０に燃料が全く供給されないということを特徴としている。同時に、内燃機関１０の回転数ｎが閾値よりも上にあるということが仮定されている。この予め定められている運転状態は、内燃機関１０の中では燃料燃焼が全く行われていないために、吸気領域１１内と排気ガス領域１３内に外気の組成と大体において等しく、少なくともわずかな気流が生じている内燃機関１０の惰走運転状態に対応している。
【００３１】
信号Ｃａｌは、ワイドバンド・ラムダセンサ１４のラムダ測定値ｌａｍ＿ｍｅｓｓが理論的に無限のラムダに、即ち、排気ガス領域１３内の酸素濃度が近似的に２１％、従って外気の酸素濃度に等しいラムダに等しくなるべきであるということを示している。従って信号Ｃａｌがあれば、排気ガス領域１３内の酸素濃度が分かっているから、ワイドバンド・ラムダセンサ１４によって準備されたラムダ測定信号ｌａｍ＿ｍｅｓｓの校正を行うことができる。
【００３２】
ここで、実施例の中に記載され且つ請求項の中で特許を請求されている、ラムダ値に基づく補正は、同様の手法で酸素濃度に基づいて或いは導き出されたその他の値に基づいて行うことができることを指摘しておく。
【００３３】
ワイドバンド・ラムダセンサ１４によって準備されたラムダ測定信号ｌａｍ＿ｍｅｓｓの校正は、単にワイドバンド・ラムダセンサ１４の製造ばらつきの補正を可能にするだけでなく、例えば組み込まれた状態の下でのワイドバンド・ラムダセンサ１４の使用の間の経年ドリフトなどの、経年作用の補正をも可能にする。その上更に、未処理排出許容差を狭めるために、ラムダ許容差も狭められる。このためには同時に排気ガス再循環装置を援用することができる。更に排気ガス処理装置１５の最適な作動が装置の全耐用期間にわたって保証される。
【００３４】
排気ガス処理装置１５は、例えば少なくとも一つの触媒装置及び／又は粒子フィルタを含んでいる。排気ガス組成は、触媒装置による排気ガス浄化及び／又は排気ガス・コンディショニングに対して大きな影響を与える。排気ガス処理装置１５が、堆積した粒子を、時々粒子を焼却することによって再生される粒子フィルタを含んでいる限り、排気ガス領域内の酸素濃度は、粒子焼却速度に関して重要な役割を果たし、この粒子焼却速度が更に粒子フィルタ内の温度に影響を与える。更に排気ガス中の酸素濃度は、場合によっては行われる粒子フィルタ目詰まり状態のシミュレーションの際に、重要な役割を果たす。
【００３５】
比較器２８は、ラムダ測定信号ｌａｍ＿ｍｅｓｓをラムダ校正信号ｌａｍ＿Ｃａｌと比較し、その結果に応じて差ｄを生成する。ラムダ校正信号ｌａｍ＿Ｃａｌは、理論的に無限の値を目標として定められなければならないであろう。補正はラムダの逆数に基づいて、或いは例えば酸素濃度に基づいて行われると有利である。従って、差ｄの代わりに、ラムダ測定信号ｌａｍ＿ｍｅｓｓとラムダ校正信号ｌａｍ＿Ｃａｌとの間の商を求めることもできる。この場合には、無限による割り算或いはゼロによる割り算を避けるために、酸素濃度に基づく評価を選ぶことが有利である。
【００３６】
差ｄは、補正値決定装置２７で補正値Ｋｏｒｒを生成し又保存するために援用される。補正値Ｋｏｒｒは、ラムダ実際値決定装置２９で、ラムダ測定信号ｌａｍ＿ｍｅｓｓをラムダ実際値ｌａｍ＿Ｉｓｔに対して補正する。補正は、例えば図２に示されている特性曲線３０の中に介入することによって行われる。補正は、特性曲線３０の勾配の変化を想定しており、その際には先ず特性曲線３０が旋回点３１の周りで回転される。勾配の補正は、例えばラムダ測定信号ｌａｍ＿ｍｅｓｓにラムダ無限の際の補正値Ｋｏｒｒを掛けることによって行われる。ラムダ測定信号ｌａｍ＿ｍｅｓｓに補正値を掛けるということは、測定ポイント変位３２と同じである。差ｄの代わりに商が求められる限り、補正値Ｋｏｒｒは、商の逆数のための変数となる。
【００３７】
試験に基づいて、ワイドバンド・ラムダセンサ１４のセンサ温度ｔｅ＿ｌａｍがラムダ測定信号ｌａｍ＿ｍｅｓｓに対して影響を与えるということが確認されていた。それ故、本発明によれば、ワイドバンド・ラムダセンサ１４によって準備されたラムダ測定信号ｌａｍ＿ｍｅｓｓの更なる補正が、内燃機関１０の予め定められた運転状態、即ち燃料配分が行われず且つ（内燃機関の）回転数が閾値よりも上にある運転状態の間に、センサ温度ｔｅ＿ｌａｍに応じて行われる。
【００３８】
それ故、補正値決定装置２７は補正値Ｋｏｒｒの測定と保存の際に更にセンサ温度ｔｅ＿ｌａｍを考慮する。センサ温度ｔｅ＿ｌａｍは、好ましくはワイドバンド・ラムダセンサ１４の実際温度ｔｅ＿Ｉｓｔとし、この実際温度ｔｅ＿Ｉｓｔは、センサ加熱器１６が温度調節器の設計に組み込まれていれば、利用可能である。実際温度ｔｅ＿Ｉｓｔが利用できない場合には、例えば、温度評価値、或いは温度制御設計の枠組みの中で与えられている温度目標値ｔｅ＿Ｓｏｌｌを、センサ温度ｔｅ＿ｌａｍとして援用することができる。
【００３９】
ここで、校正は単に予め定められている具体的な温度目標値ｔｅ＿Ｓｏｌｌの下でだけでなく、とりわけ、予め定められている目標温度領域について実施されるということを指摘しておく。
【００４０】
校正は、単にワイドバンド・ラムダセンサ１４の製造者によって予め設定されている定格温度ｔｅ＿Ｎｅｎｎ或いは予め設定されている定格温度領域の下でのみ行われるのではなく、既にワイドバンド・ラムダセンサ１４の加熱段階及び／又は冷却段階の間にできる限り精確なラムダ実際値ｌａｍ＿Ｉｓｔを得ることができる様にするために、特に、定格温度領域の下にある温度領域にも及ぶようにすることが有利である。
【００４１】
目標温度ｔｅ＿Ｓｏｌｌを予め適切に設定するための第一の可能性は、補正値決定装置２７がセンサ温度ｔｅ＿ｌａｍに応じてどの補正値Ｋｏｒｒがなお欠けているかに応じて準備する校正温度ｔｅ＿Ｃａｌを用いて可能となる。目標温度決定装置２６は、目標温度ｔｅ＿Ｓｏｌｌを、要求された校正温度ｔｅ＿Ｃａｌ（センサ加熱器１６がワイドバンド・ラムダセンサ１４をそこまで加熱すべき校正温度ｔｅ＿Ｃａｌ）に応じて決定する。
【００４２】
幾つかの異なる目標温度ｔｅ＿Ｓｏｌｌを予め適切に設定するためのもう一つの可能性は、目標温度決定装置２６が、信号Ｃａｌが現れた時に、校正が行われているべき、例えば表の形で記憶されている目標温度ｔｅ＿Ｓｏｌｌを、時系列で調整するということにある。場合によっては、目標温度決定装置２６の利用に供された実際温度ｔｅ＿Ｉｓｔは、目標温度ｔｅ＿Ｓｏｌｌの適切な選択のために援用されることができ、その際、新たに設定されるべき目標温度ｔｅ＿Ｓｏｌｌは、予め発見されている実際温度ｔｅ＿Ｉｓｔからのずれができるだけ小さくなるようにすべきである。信号Ｃａｌが存在しているときに常時行われる校正は、そこでも経年ドリフトを補正することができるようにするために、特に、ワイドバンド・ラムダセンサ１４の定格温度ｔｅ＿Ｎｅｎｎｎの下でも、或いは定格温度領域内でも行われる。
【図面の簡単な説明】
【００４３】
【図１】本発明に基づく方法の適用される技術的環境を示す。
【図２】ラムダ測定信号ｌａｍ＿ｍｅｓｓとポンピング電流Ｉｐとの関係を示す、ワイドバンド・ラムダセンサの特性曲線を示している。
【符号の説明】
【００４４】
１０…内燃機関
１１…吸気領域
１２…エアセンサ
１３…排気ガス領域
１４…ワイドバンド・ラムダセンサ
１５…排気ガス処理装置
１６…センサ加熱器
２０…制御装置
２１…燃料分配装置
２５…運転状態決定装置
２６…目標温度決定装置
２７…補正値決定装置
２８…比較器
２９…ラムダ実際値決定装置
３０…特性曲線
３１…旋回点
３２…測定ポイント変位
Ｃａｌ…特徴化信号
ｄ…比較器によって求められた差
ｇ…シフトギヤ情報
Ｉｐ…ポンピング電流
Ｋｏｒｒ…補正値
ｌａｍ＿Ｃａｌ…ラムダ校正信号
ｌａｍ＿Ｉｓｔ…ラムダ実際値
ｌａｍ＿ｍｅｓｓ…ラムダ測定信号
Ｍｄ＿Ｓｏｌｌ…負荷信号
ｍ＿Ｋ…燃料信号
ｍｓ＿Ｌ…エア信号
ｎ…回転数
ｔｅ＿Ｃａｌ…校正温度
ｔｅ＿Ｉｓｔ…ワイドバンド・ラムダセンサの実際温度
ｔｅ＿Ｎｅｎｎ…ワイドバンド・ラムダセンサの定格温度
ｔｅ＿Ｓｏｌｌ…目標温度
ｖ…走行速度
【図１】
2007147610.tif 000003
【図２】
2007147610.tif 000004